(57)【要約】【課題】便所内の固定架台１内部に手洗い容器１９と手拭掛け１９Ｃ並びにトイレットロール紙保持具１７を収納、使用時には固定架台１から出し、使用後は収納ができ安全と快適な環境が保てる便所にする事である。【解決手段】固定架台１内部に前後可動架台１９Ｂを取付その内部に上下可動架台１９Ａを取付ける、上下可動架台１９Ａの上部に手洗い容器１９を取付、同じく側面部に手拭掛け１９Ｃを動く状態で取付手拭２２を巻く状態で取付ける、前後可動架台１９Ｂと上下可動架台１９Ａとの動きで手洗い容器１９と手拭掛け１９Ｃは使い易い場所となり便座３に座った状態で手洗いと手ふきができる、トイレットロール紙保持具１７も固定架台１内部に収納し使用時には固定架台１上面にだして使用できる、使用後は固定架台１内部に収納し安全と爽やかな環境の転倒防止便所となる。【選択図】図１
2005103242.tif 000002
【特許請求の範囲】
【請求項１】
便所内に取付けられている固定架台内部に前と後に出し入れできる前後可動架台を取付ける、前後可動架台内部に上と下に動く上下可動架台を取付ける、上下可動架台上部に手洗い容器を取付と側面部に手拭掛けを動く状態で取付ける、前後可動架台は前後可動機器を動かして前に出し上下可動架台は上下可動機器を動かして上の状態にする、便座に座った状態で手洗い容器に手がとどき手洗いと手ふきが容易にできる、終了後は上下可動機器を動かして下に降ろし、その後前後可動機器を動かして後に戻し固定架台内部に収納とし無駄な人の動きを無くし安全が確保できる事を特徴とする転倒防止便所。
【請求項２】
固定架台内部にトイレットロール紙保持具を保持具取付金具に固定し取付ける、保持具取付金具は保持具可動機器を動かして固定架台の上面に出す、便座に座った状態でトイレットロール紙に手がとどき容易に使用できる、使用後は保持具可動機器を動かして固定架台内部に降ろして収納する事を特徴とする請求項１記載の転倒防止便所。
【発明の詳細な説明】
【技術分野】
【０００１】
本発明は、便所内において、病気、若しくは体の不具合等による事故或いは怪我の発生を最小限に防止する事と、もし怪我をしても素早く外に出安くする事と素早く救出ができる事を備えた便所に関するものである。
【背景技術】
【０００２】
便所内に取付の、手洗い手拭掛け、トイレットロール紙保持具等、これらの製品は殆ど陶磁器製若しくは金属製の硬質なものである。
【０００３】
図６に示す様に従来使用している一般的な便所で硬質な物質は安全面に関して大きな障害となる、手洗い手拭掛けは入り口付近に取付られ側面壁から内側に出っ張り便所内を狭くする要因でもあった。
【０００４】
その他、トイレットロール紙保持具も金属製品が多く安全面に関しては大きな障害となり、正常に体が動かせ其々の動きができる場合は不安を感じないが、病気等によって体の自由がきかない場合転倒して怪我をしないか等と心配があった。
【０００５】
この改善策として、硬質な品物が側面壁１１に出っ張る状態で取付られている、それらの品物を固定架台１内に収納し側面壁１１には取付をしない方法である。
再度、図６にて従来使用している一般的な便所での状況を確認すると、側面壁１１に手洗い手拭掛け１９並びにトイレットロール紙保持具１７が取付けられている状況が一般的である。
そこで図１にて実施状況を説明すると、固定架台１内部に前と後に出し入れが出きる前後可動架台１９Ｂを取付ける、前後可動架台１９Ｂ内部に上と下に動く上下可動架台１９Ａを取付ける、前後可動架台１９Ｂは前後可動機器１９ｅにて前と後に動く、上下可動架台１９Ａは上下可動機器１９ｄにて上と下に動く、前後可動架台１９Ｂが前に出た状態で上下可動架台１９Ａは上に動く、この上下可動架台１９Ａの上部に手洗い容器１９と側面に手拭掛け１９Ｃを動く状態で取付ける、前後可動架台１９Ｂが前に出て上下可動架台１９Ａが上の状態で便座に座った人１０は手洗い容器１９に手をさし出すと水がでる、即ち座った状態で手洗いができ続いて手拭２２が動かせるので容易に手ふきができる、手洗いと手ふきが終了すると上下可動機器１９ｄを動かして下に降ろし前後可動機器１９ｅを動かして後に戻し固定架台１内に収納する。
【０００６】
固定架台１内部に上と下に可動できる保持具取付金具１７Ａを取付ける、保持具取付金具１７Ａは保持具可動機器１７ｂにて上と下に可動する、保持具取付金具１７Ａにトイレットロール紙保持具１７を取付ける、トイレットロール紙を使用する場合はトイレットロール紙保持具１７Ａの保持具可動機器１７ｂを動かして固定架台１上面に出し使用する、使用後は保持具可動機器１７ｂを動かして下に降ろし固定架台１内部に収納する。
【特許文献１】特開２００２−２０００１０号公報
【特許文献２】特開１９９８−２３７９２７号公報
【非特許文献１】東陶機器株式会社著  ＴＯＴＯ総合カタログ  ２００２−２００３
【発明の開示】
【発明が解決しようとする課題】
【０００７】
解決しようとする問題点は、便所内の壁から出っ張り状態で取付けられている器物を効率良く固定架台内に収納し、使用する状況においては素早く使い易い場所に動かし、使用後は固定架台内に収納し、便所内をより広くする事で安心と安全とが確保できることである。
【課題を解決するための手段】
【０００８】
本発明は、便所使用時に必要な手洗い手拭掛けとトイレットロール紙保持具其々を可動できる状況で固定架台内部に収納する、必要な時には固定架台内部から出し便座に座った状態で一番身近にて取り扱え、使用後は固定架台内部に収納し、便所内の硬質な品物を固定架台内部に収納してより広く活用でき且安全を確保できる事が最も主要な特徴である。
【発明の効果】
【０００９】
本発明の転倒防止便所は、高齢者とか身体が不具合とか病気治療中の方々が便所内での動きが思う様に出来ず、その為自分の体が安定した状態になった時点で様々な動作を行い怪我する事を防止できる、従来の冷たい便所の雰囲気から暖かい爽やかな小部屋としての落着いた雰囲気に変える利点がある。
【発明を実施するための最良の形態】
【００１０】
便所内は図５に示したように使用前の状況は、腰掛けできる形状の固定架台１と可動架台１Ａとの組合せ状態の架台だけで、且側面壁１１には硬質な物の取付はなく固定架台１及び可動架台１Ａに収納する、使用する人が固定架台１に到着した時点でスイッチを操作し便座保護カバー２を開き次の動きと確実な行動ができ安心と安全とを確保できる状況を実現した。
【実施例１】
【００１１】
本発明は、図１に示した実施状況と図３に示した手洗い容器取付状況とで説明すると、固定架台１内部に前と後に出し入れできる前後可動架台１９Ｂを固定架台１の枠組み部分を摺動する状態で出し入れができる形状で取付け、底部分に車輪を取付けると滑らかに可動する、前後可動架台１９Ｂは前後可動機器１９ｅにより前に出後に戻す動きができる、この前後可動架台１９Ｂの前部分の内部に上と下に動く上下可動架台１９Ａを取付ける、上下可動架台１９Ａは上下可動機器１９ｄで上と下に動く、前後可動架台１９Ｂが前に出た状態のみ上下可動架台１９Ａは上下に動く、上下可動架台１９Ａの上部に手洗い容器１９を取付、同じく側面部に手拭掛け１９Ｃを可動できる状態で取付けその部分に手拭２２を巻く状態で取付ける、手洗い容器１９での手洗い水は上下可動架台１９Ａが上で手を差し出した状態のみ出る、便座３に座った状態で手洗いができ手拭２２が動く形状で取付られているので手ふきも容易にでき、座った状態で一連の動きができ後を振り向く動作もなく済ませる事ができる、その後手洗い容器１９は上下可動機器１９ｄを動かして下に降ろし前後可動機器１９ｅを動かして後に戻し順次固定架台１内部に収納する、上下可動架台１９Ａ及び前後可動架台１９Ｂは手で容易に動かす事もでき停電時等の対応もできる。
【００１２】
次に、図１に示した実施状況と図４に示したトイレットロール紙取付状況とで説明すると、固定架台１内部にトイレットロール紙保持具１７を保持具取付金具１７Ａに固定し取付ける、保持具取付金具１７Ａは保持具可動機器１７ｂにより上と下に動く、使用時にトイレットロール紙保持具１７は保持具可動機器１７ｂを動かして固定架台１の上面に出しトイレットロール紙を取出し使用する、その後用途が済めば保持具可動機器１７ｂを動かして下に降ろし固定架台１内に収納する、手で容易に保持具取付金具１７Ａを上と下に動かす事もできる、即ち便座３に座っている状態で様々な動きができ用途が済めば固定架台１内に収納する事で安心と安全が確保でき爽やかな雰囲気となる。
【００１３】
固定架台１上部に取付のスイッチ２１を操作すると、大便使用と小便使用の選択ができ其々順次一連の動きができる、体を振り返る動作が無くなり効率の良い便所とする事ができる。
【産業上の利用可能性】
【００１４】
便所は誰もが、汚い、臭い、との感覚で認識していた状態を打破し、暖かくて爽やかな小部屋にできる、住宅の片隅におかれている状況から一番使い易い場所にすることもできる。
【図面の簡単な説明】
【００１５】
【図１】転倒防止便所で実施状況を示した説明図である。（実施例１）
【図２】転倒防止便所の平面を示した説明図である。（実施例２）
【図３】転倒防止便所で手洗い容器取付状況の断面図である。（実施例３）
【図４】転倒防止便所でトイレットロール紙取付状況の断面図である。（実施例４）
【図５】転倒防止便所で使用前の状況を示した説明図である。（実施例５）
【図６】従来使用している一般的な便所を示した説明図である。（使用例１）
【符号の説明】
【００１６】
１      固定架台
１Ａ    可動架台
１ｄ    固定架台上部扉
１ｅ    固定架台前面部扉
１ｆ    可動架台扉
１ｈ    斜め部分
２      便座保護カバー
３      便座
３Ａ    便座可動台
４      便器
８      便器と側面壁との隙間
１０    人
１１    側面壁
１２    天井
１３    後壁
１４    床
１５    換気扇
１６    排気用ダクト
１７    トイレットロール紙保持具
１７Ａ  保持具取付金具
１７ｂ  保持具可動機器
１８    排水操作弁
１９    手洗い容器
１９Ａ  上下可動架台
１９Ｂ  前後可動架台
１９Ｃ  手拭掛け
１９ｄ  上下可動機器
１９ｅ  前後可動機器
２０    汚物入れ
２１    スイッチ
２２    手拭
【図１】
2005103242.tif 000003
【図２】
2005103242.tif 000004
【図３】
2005103242.tif 000005
【図４】
2005103242.tif 000006
【図５】
2005103242.tif 000007
【図６】
2005103242.tif 000008